(57)【要約】【課題】  一瞬見逃したテレビ放送のシーンを記録することができるとともに、消費電力を低減すること等ができる映像受信記録装置を提供することである。【解決手段】  視聴者がテレビモニタ２によりテレビ放送の視聴中に特定のシーンを一瞬見逃した場合に、この見逃したシーンを記録再生部１７により記録するように操作するための短時間簡易記録操作手段３ｃを設ける。  そして、映像受信記録装置１が短時間簡易記録モードで動作している状態で短時間簡易記録操作手段３ｃが操作された場合にのみ、前記一瞬見逃したシーンの記録を行うようにする。  また、映像受信記録装置１が短時間簡易記録モードで動作している場合に限り、チューナ５により受信したテレビ放送の信号処理を外部メモリ６を通して行うようにする。【選択図】  図１            
2005130139.tif 000002
【特許請求の範囲】
【請求項１】
特定のチャンネルのテレビ放送を受信するためのチューナと、受信したテレビ放送を出力するテレビモニタと、受信したテレビ放送を記録媒体に記録するための記録手段と、受信したテレビ放送がチューナから入力される外部メモリと、動作を制御する制御部とを有する映像受信記録装置であって、
当該映像受信記録装置の視聴者がテレビ放送を視聴中に、特定のシーンを短時間の範囲で前記記録媒体に記録するように視聴者が速やかに操作するための短時間簡易記録操作手段と、
当該映像受信記録装置を、前記短時間簡易記録操作手段の操作に応じて前記テレビ放送の特定のシーンを短時間の範囲で記録する短時間簡易記録を行うように動作させ得る短時間簡易記録モードに設定するための動作モード設定手段とを備え、
前記動作モード設定手段は、短時間簡易記録モードとするか否かを視聴者の選択に応じて設定できるようにされており、
前記短時間簡易記録モードに設定された場合にのみ、チューナにより受信したテレビ放送の信号処理が外部メモリを通して行われるようにされており、かつ視聴者が前記短時間簡易記録操作手段を操作すると、該操作がされた時の以前から該操作がされた時以後にわたってテレビモニタに出力された放送内容が一定の短時間の範囲で記録媒体に記録されるようにされた映像受信記録装置。
【請求項２】
前記短時間簡易記録モードに設定されると、短時間簡易記録モードに設定されていることがテレビモニタに表示されるようにされた請求項１に記載の映像受信記録装置。
【請求項３】
前記前記短時間簡易記録モードに設定されていることの表示が、ＯＳＤ表示によってされることを特徴とする請求項２に記載の映像受信記録装置。
【請求項４】
前記動作モード設定手段は、視聴者により短時間簡易記録操作手段が操作される前にテレビモニタに出力された放送内容を記録するための一定の時間である戻り録画時間と、視聴者により短時間簡易記録操作手段が操作された後にテレビモニタに出力された放送内容を記録するための録画時間とを視聴者の操作によって設定できるようにされている請求項１乃至３に記載された映像受信記録装置。
【発明の詳細な説明】
【技術分野】
【０００１】
本発明は、テレビ放送の特定の部分を短時間の範囲で簡易な操作により速やかに記録することができる映像受信記録装置に関する。
【背景技術】
【０００２】
映像受信装置によると、該装置を使用する視聴者のテレビチャンネルを選択する操作に応じて特定のチャンネルのテレビ放送がテレビモニタに出力される。これにより、視聴者は視聴を希望する特定のテレビ放送を視聴することができる。
【０００３】
ここで、視聴者がテレビ放送を視聴している最中に、放映されている内容を見逃すことがあり、この見逃したシーンを再度視聴したいことがある。そして、従来技術には、この一瞬見逃したシーンを再度視聴できるようにした映像表示装置がある（例えば、特許文献１参照）。
【特許文献１】特開平５−１７６２３０号
【発明の開示】
【発明が解決しようとする課題】
【０００４】
しかし、前記特開平５−１７６２３０号に開示された装置にあっては、見逃したシーンを再度視聴できるにすぎず記録することはできない。また、従来の映像記録装置で、テレビ放送中の一瞬見逃したシーンを記録できるようにしたものにあっては、チューナにより受信した映像等を外部メモリに記憶させるようにしている。そして、前記映像等を、外部メモリからテレビモニタに出力し又は記録媒体に記録するようにしている。
【０００５】
従って、従来の一瞬見逃したテレビ放送のシーンを記録できるようにした映像記録装置によると、必要以上に外部メモリを使用するので、消費電力の増大を生じ、また装置寿命が制約される。また、視聴者の操作に対して応答が遅く、視聴者にとって煩わしく感じられることがあった。
【０００６】
そこで、本発明は、一瞬見逃したテレビ放送のシーンを記録することができる映像受信記録装置であって、消費電力を低減することができ、また装置寿命を改善することができる映像受信記録装置を提供することを目的とする。
【課題を解決するための手段】
【０００７】
上記課題を解決するため、本発明は、特定のチャンネルのテレビ放送を受信するためのチューナと、受信したテレビ放送を出力するテレビモニタと、受信したテレビ放送を記録媒体に記録するための記録手段と、受信したテレビ放送がチューナから入力される外部メモリと、動作を制御する制御部とを有する映像受信記録装置であって、
当該映像受信記録装置の視聴者がテレビ放送を視聴中に、特定のシーンを短時間の範囲で前記記録媒体に記録するように視聴者が速やかに操作するための短時間簡易記録操作手段と、
当該映像受信記録装置を、前記短時間簡易記録操作手段の操作に応じて前記テレビ放送の特定のシーンを短時間の範囲で記録する短時間簡易記録を行うように動作させ得る短時間簡易記録モードに設定するための動作モード設定手段とを備え、
前記動作モード設定手段は、短時間簡易記録モードとするか否かを視聴者の選択に応じて設定できるようにされており、
前記短時間簡易記録モードに設定された場合にのみ、チューナにより受信したテレビ放送の信号処理が外部メモリを通して行われるようにされており、かつ視聴者が前記短時間簡易記録操作手段を操作すると、該操作がされた時の以前から該操作がされた時以後にわたってテレビモニタに出力された放送内容が一定の短時間の範囲で記録媒体に記録されるようにされた映像受信記録装置である（請求項１）。
【０００８】
本発明の映像受信記録装置にあっては、前記短時間簡易記録モードで動作している状態で視聴者により前記短時間簡易記録操作手段が操作されると、前記短時間簡易記録が行われる。これにより、短時間簡易記録操作手段の速やかな操作により、視聴者がテレビ放送中の一瞬見逃した特定のシーンを記録することができる。
【０００９】
そして、本発明の映像受信記録装置によると、受信したテレビ放送をテレビモニタに出力する等の信号処理を行うにあたり、前記短時間簡易記録モードで動作している場合にのみ、受信したテレビ放送が外部メモリを通して信号処理される。
【００１０】
これにより、本発明の映像受信記録装置によると、短時間簡易記録モードで動作している場合にのみ、外部メモリを通したテレビ放送の信号処理が行われるので、必要以上の外部メモリの使用を防ぐことができる。これにより、消費電力を低減させ、装置寿命を改善することもできる。
【００１１】
また、前記映像受信記録装置を、前記短時間簡易記録モードに設定されると、短時間簡易記録モードに設定されていることがテレビモニタに表示されるようにすることができる（請求項２）。
【００１２】
この発明の映像受信記録装置によると、短時間簡易記録モードで動作している場合には、視聴者はテレビモニタの表示によりこれを知ることができる。従って、短時間簡易記録モードに設定することを忘れたまま短時間簡易記録操作手段を操作するという操作ミスを防ぐことができる。これにより、短時間簡易記録を、操作ミスなく確実に行うことができる。
【００１３】
また、前記短時間簡易記録モードに設定されていることの表示を、ＯＳＤ表示によって行うことができる（請求項３）。これにより、テレビモニタに短時間簡易記録モードに設定されていることを表示するにあたり、視聴者にとって視覚により容易に確認し易いものにできる。
【００１４】
また、前記動作モード設定手段を、視聴者により短時間簡易記録操作手段が操作される前にテレビモニタに出力された放送内容を記録するための一定の時間である戻り録画時間と、視聴者により短時間簡易記録操作手段が操作された後にテレビモニタに出力された放送内容を記録するための録画時間とを視聴者の操作によって設定できるようにすることもできる（請求項４）。これにより、短時間簡易記録を行うための短時間の範囲を、視聴者の操作によって設定することができる。
【発明の効果】
【００１５】
本発明は、以上説明したような形態で実施され、以下に記載されるような効果を奏する。本発明の映像受信記録装置によると、視聴者が一瞬見逃したテレビ放送中の特定のシーンを記録できるとともに、視聴者の操作に応じて短時間簡易記録を行うことが可能な短時間簡易記録モードで動作している場合にのみ、受信したテレビ放送をテレビモニタに出力する等の信号処理を外部メモリを通して行う。これにより、必要以上の外部メモリの使用を防ぐことができるので、消費電力を低減させ、また装置寿命を改善することもできる。
【発明を実施するための最良の形態】
【００１６】
本発明の実施の形態について、図１乃至図６に基づいて説明する。図１は、本発明の一実施形態である映像受信記録装置１のブロック図であり、映像受信記録装置１の構成の概略を示している。
【００１７】
映像受信記録装置１は、操作用リモコン３とチューナ５と制御用マイコン１０と映像処理部８と外部メモリ６と記録再生部１７とテレビモニタ２を備えている。この映像受信記録装置１を使用する視聴者（以後、映像受信記録装置１の「ユーザ」ともいう）が操作用リモコン３を操作することにより、映像受信記録装置１を操作することができる。
【００１８】
操作用リモコン３は、映像受信記録装置１を操作するための各種の操作キーを備えている。操作用リモコン３は、電源キー、数値キー、操作メニュー表示キー３ｂ、ちょっと録画キー３ｃの他、映像受信記録装置１の操作に必要な各種のキーを備えている。
【００１９】
電源キーは、映像受信記録装置１の電源オン／オフに用いられる。数値キーは、映像受信記録装置１への数値データの入力に用いられる。操作用リモコン３には、図１に図示される各数値を表す数値キーが設けられている。この数値キーの操作により、ユーザが視聴したい特定の放送チャンネルを選択することができる。
【００２０】
ユーザが数値キーを操作して特定のチャンネルを選択すると、選択された放送チャンネルのデータ（放送チャンネルに割り当てられる特定の周波数）は後に説明するチューナ５に設定される。
【００２１】
操作メニュー表示キー３ｂは、操作メニューをテレビモニタ２に表示させるための操作キーである。ユーザが操作メニュー表示キー３ｂを操作することにより、操作メニューがテレビモニタ２に表示される。
【００２２】
そして、テレビモニタ２に表示される操作メニューへの入力を介して、映像受信記録装置１を動作させる条件を設定することができる。この操作メニューへの入力は、操作メニュー表示キー３ｂの他、操作用リモコン３に備わる所要の操作キーの操作によって行う。
【００２３】
また、映像受信記録装置１を後に説明する「ちょっと録画」の実行を可能にする「ちょっと録画モード」に設定するための操作項目は、この操作メニューの項目に含まれている。
【００２４】
「ちょっと録画モード」は、映像受信記録装置１をちょっと録画キー３ｃの操作に応じてテレビ放送の特定のシーンを短時間の範囲で記録するように動作させ得る短時間簡易記録モードにあたる。
【００２５】
以上の操作メニューは、映像受信記録装置１を短時間簡易記録モードに設定することができる動作モード設定手段にあたる。
【００２６】
また、操作用リモコン３は、ちょっと録画キー３ｃを備えている。ユーザがちょっと録画キー３ｃを押す操作を行うことにより、「ちょっと録画」を行うことができる。これにより、ユーザがちょっと録画キー３ｃを押す操作のみで「ちょっと録画」を行えるので、簡単な操作により速やかに「ちょっと録画」を行うように映像受信装置１を動作させることができる。
【００２７】
「ちょっと録画」によると、ちょっと録画キー３ｃが操作された時より一定時間前に遡ってテレビモニタ２に出力されたテレビ放送を記録することができ、ちょっと録画キー３ｃが操作された時の一定時間前からちょっと録画キー３ｃが操作された以降にわたる一定の短時間の範囲でテレビ放送を記録することができる。これにより、ユーザがテレビ放送を視聴している最中に一瞬見逃した特定のシーンを記録することができる。
【００２８】
この「ちょっと録画」は、ユーザが視聴しているテレビ放送の特定のシーンを一定の短時間の範囲で記録する短時間簡易記録にあたる。また、「ちょっと録画」を行うためのちょっと録画キー３ｃは、短時間簡易記録操作手段にあたる。
【００２９】
また、操作用リモコン３には、後に説明する記録再生部１７を動作させて記録媒体への記録を行うための記録操作キーや、記録媒体に記録されている内容を再生するための再生操作キーも備えている。
【００３０】
なお、映像受信記録装置１のユーザが操作用リモコン３の各操作キーを操作すると、各操作キーに割り当てられる操作キー判別信号が操作用リモコン３より出力され、図示されないリモコン受光部に入力される。
【００３１】
そして、リモコン受光部に入力された操作キー判別信号は、図示されない信号処理経路を経て制御用マイコン１０の制御部１１に入力される。これにより、制御部１１は、操作用リモコン３のいずれの操作キーが操作されたかを判断し、ユーザによってされた操作に対応させた制御を行う。
【００３２】
チューナ５にはアンテナが接続されている。チューナ５は、受信するべき放送チャンネルの放送波を選択して受信する。チューナ５には、操作用リモコン３の操作を介してユーザにより選択された放送チャンネルのデータが設定される。
【００３３】
そして、チューナ５が設定された放送チャンネルを受信すると、この放送チャンネルの放送信号に含まれる映像信号は、チューナ５から後に説明する映像処理部８又は映像表示処理部１８に入力される。
【００３４】
なお、チューナ５が受信した放送信号のうち音声信号は、図１に図示されない信号処理経路を通ってテレビモニタ２のスピーカに入力される。
【００３５】
映像受信記録装置１がちょっと録画モードで動作する場合には、チューナ５が受信した放送信号中の映像信号は、チューナ５から映像処理部８に入力される。一方、この映像受信記録装置１がちょっと録画モードで動作しない場合には、映像信号はチューナ５から映像表示処理部１８に入力される。
【００３６】
映像処理部８は、チューナ５より入力された映像信号の処理を行う。映像処理部８は、アナログ形式の映像信号をディジタル形式の映像信号に変換する処理を行う。また、映像処理部８は、入力された映像信号を、その処理の必要に応じて圧縮する処理を行い得るようにもされている。そして、映像処理部８は、処理した映像信号を後に説明する外部メモリ６に出力する。
【００３７】
外部メモリ６は、後に説明する制御用マイコン１０に接続されている。外部メモリ６は、制御用マイコン１０による読み出しと書き込みが可能に構成されている。この外部メモリ６は、Ｅ２ＰＲＯＭにより構成することができる。
【００３８】
外部メモリ６は、映像処理部８より入力された映像信号を記憶する。映像受信記録装置１がテレビ放送を受信してテレビモニタ２に出力するように動作しておりちょっと録画モードで動作している場合に、外部メモリ６が記憶した映像信号と同じ映像信号が映像表示処理部１８に出力される。
【００３９】
また、外部メモリ６に記憶される映像信号は、後に説明する戻り録画処理部１３、録画処理部１４による制御動作に応じて記録再生部１７に入力されるようにされている。
【００４０】
制御用マイコン１０は、映像受信記録装置１の全体の制御を行う。制御用マイコン１０は、ＣＰＵ（中央演算処理装置）、ＲＯＭ（読み出し専用メモリ）及びＲＡＭ（読み書き可能メモリ）を備えている。
【００４１】
制御用マイコン１０には、制御部１１、録画処理部１４、戻り録画処理部１３、録画合成部１２が形成されている。制御用マイコン１０に形成されるこれらの各部は、ＲＯＭ内の演算処理が可能なプログラムによってモジュール化されている。
【００４２】
制御部１１は、制御用マイコン１０の動作の制御を行う。制御部１１が制御用マイコン１０の各部を制御することにより、制御用マイコン１０が映像受信記録装置１の動作を制御する。
【００４３】
なお、制御用マイコン１０のＲＯＭには映像受信記録装置１を制御する手順からなる制御プログラムが格納されている。そして、制御用マイコン１０は、この制御プログラムを実行することによって映像受信記録装置１を制御する。
【００４４】
録画処理部１４は、「ちょっと録画」を行う場合の記録再生部１７の動作の制御を行う。即ち、録画処理部１４は、映像受信記録装置１がちょっと録画モードに設定されている状態で操作用リモコン３のちょっと録画キー３ｃが操作されると、後に説明する記録再生部１７を記録媒体への記録を行うように制御する。録画処理部１４は、ちょっと録画キー３ｃが操作されると、記録再生部１７に記録動作を行わせる動作制御信号を出力する。
【００４５】
なお、録画処理部１４の制御処理により、ちょっと録画キー３ｃが操作された後にテレビモニタ２に出力されるテレビ放送が記録される録画時間は、後に説明する操作メニューの項目中の「ちょっと録画」の項目において設定される。
【００４６】
戻り録画処理部１３は、「ちょっと録画」の対象となる、ちょっと録画キー３ｃが操作される以前に外部メモリ６に記憶された放送内容を抽出する制御処理を行う。
【００４７】
より詳しく説明すると、戻り録画処理部１３は、映像受信記録装置１がちょっと録画モードに設定されている状態でちょっと録画キー３ｃが操作されると、この操作が行われた時の一定時間前から録画キー３ｃが操作された時点までに外部メモリ６に記憶された放送内容を外部メモリ６中の記憶内容から抽出するための外部メモリ６に対する制御処理を行う。
【００４８】
戻り録画処理部１３は、ちょっと録画キー３ｃが操作されると、この操作の一定時間前から操作された時点までに記憶された放送内容を抽出するように外部メモリ６を制御する動作制御信号を外部メモリ６に出力する。
【００４９】
また、戻り録画処理部１３は、外部メモリ６の記憶内容から前記放送内容の抽出が行われると、この抽出された放送内容を記録再生部１７へ出力するように外部メモリ６を制御する。そして、この抽出された放送内容が記録媒体に記録される。
【００５０】
なお、戻り録画処理部１３の処理により外部メモリ６の記憶内容から放送内容を抽出する基準となる録画キー３ｃが操作される時点より前の一定時間は、後に説明する操作メニューの項目中の「ちょっと録画」の項目において設定される。
【００５１】
録画合成部１２は、ちょっと録画キー３ｃの一回の操作に応じて記録媒体に記録された内容を一ファイルに合成する処理を行う。即ち、戻り録画処理部１３の制御処理により記録媒体に記録された放送内容の部分と、録画処理部１４の制御処理により録画キー３ｃが操作された後に記録媒体に記録された放送内容の部分とを一ファイルとして合成するための制御処理を行う。録画合成部１２は、操作キー３ｃの一回の操作に応じて記録媒体中に記録された内容を一ファイルとするように記録再生部１７を動作させる動作制御信号を出力する。
【００５２】
記録再生部１７は、入力された放送内容を図示されない記録媒体に記録し、又は記録媒体に記録される内容を再生する処理を行う。記録再生部１７により記録媒体に記録される内容を再生すると、再生された内容の映像信号が映像表示処理部１８に出力された後、再生された内容がテレビモニタ２に出力される。
【００５３】
記録再生部１７は、記録媒体としてＤＶＤ（ディジタルバーサタイルディスク）、ＨＤ（ハードディスク）、又はビデオテープを用いるもの等、映像や音声を記録する記録媒体の記録及び再生を行い得るものであればいずれを用いることもできる。
【００５４】
映像表示処理部１８は、入力された映像信号をテレビモニタ２に映像として出力するための処理を行う。映像表示処理部１８は、クロマＩＣを含む色信号処理回路や、偏向回路を備えている。この映像表示処理部１８は、テレビモニタ２に映像を表示するため、入力された映像信号に基づく水平走査及び垂直走査や輝度、色制御等の処理を行う。
【００５５】
映像受信記録装置１をテレビ放送を受信してテレビモニタ２に出力させる場合でありちょっと録画モードに設定されている場合には、外部メモリ６より映像表示処理部１８に映像信号が入力される。
【００５６】
また、記録再生部１７により記録媒体に記録される内容を再生する場合には、記録再生部１７より映像表示処理部１８に映像信号が入力される。
【００５７】
次に、映像受信記録装置１を短時間簡易記録モードで動作させるよう設定するための操作の例について、図２乃至図４により説明する。図２は、テレビモニタ２に表示される操作メニューの一例である。
【００５８】
図２（ａ）には操作メニューの項目として、「１．予約設定」、「２．時計合わせ」、「３．チャンネル合わせ」、「４．簡単録画」、「５．ちょっと録画」がテレビモニタ２に表示された例が示される。図２（ａ）に示される「５．ちょっと録画」は、ちょっと録画モードで動作させる条件を設定するための項目である。
【００５９】
図２（ａ）に示される操作メニューの項目より「５．ちょっと録画」を選択すると、図２（ｂ）に示されるように、「ちょっと録画」を行う具体的な条件を設定するためのメニューがテレビモニタ２に表示される。
【００６０】
図２（ｂ）に示される例では、「ちょっと録画」の条件として、「録画時間」、「戻り録画時間」を設定できるようにされている。また、図２（ｂ）に示される例では、ちょっと録画モードで動作させるか否かを「ＯＮ（オン）」又は「ＯＦＦ（オフ）」の選択によって設定できる。また、図２（ｂ）に示される例では、「ちょっと録画」を行った後に、その再生を行う条件を「再生」の項目により選択できるようにされている。
【００６１】
図２（ｂ）に示される例では、「録画時間」は１分に設定されており、「戻り録画時間」は１０秒に設定されている。図２（ｂ）に示される「録画時間」、「戻り録画時間」について、図３も参酌しつつ説明する。図３は、戻り録画時間（Ｔ１）と、録画時間（Ｔ２）と、ちょっと録画キー３ｃが操作されたタイミング（Ｓ）と、の関係を示す図である。
【００６２】
戻り録画時間（Ｔ１）は、ちょっと録画キー３ｃが操作された時点（Ｓ）以前にテレビモニタ２に出力されたテレビ放送を記録するため遡る一定時間（１０秒）である。録画時間（Ｔ２）は、ちょっと録画キー３ｃが操作された時点（Ｓ）以降にテレビモニタ２に出力されるテレビ放送の記録を行う時間である。
【００６３】
図３からもわかるように、「ちょっと録画」によると、ユーザがちょっと録画キー３ｃを操作する時点（Ｓ）以前のＴ１時間と、操作された時点（Ｓ）以降のＴ２時間の合計の（Ｔ１+Ｔ２）時間分のテレビ放送が記録され、テレビ放送の特定のシーンが一定の短時間（Ｔ１+Ｔ２）の範囲で記録される。
【００６４】
以上の戻り録画時間（Ｔ１）は、１０秒以上５分以下の範囲で設定される。特に、戻り録画時間を１分以上５分以下の範囲で選択できるようにするのが好ましい。
【００６５】
また、録画時間（Ｔ２）は、１分以上５分以下の範囲で設定される。特に、録画時間（Ｔ２）を２分以上３分以下の範囲で選択できるようにするのが好ましい。
【００６６】
また、図２（ｂ）に示される例では、「ちょっと録画」により記録したテレビ放送を再生する条件として、「録画後」と「戻り時間分」とを選択するようにされている。
【００６７】
図２（ｂ）に示される再生の条件のうち「録画後」を選択すると、「ちょっと録画」により記録した全範囲、即ち前記（Ｔ１+Ｔ２）時間に相当する範囲が再生される。一方、「戻り時間分」を選択すると、ちょっと録画キー３ｃが操作された時点Ｓより遡って記録した範囲のみ、即ち前記Ｔ１時間に相当する範囲のみが再生される。なお、図２（ｂ）には、再生の条件として「戻り時間分」が選択された例が示される。
【００６８】
また、前記図２（ａ）に示される項目より「５．ちょっと録画」を選択した後にさらに具体的な条件を設定するためのメニューとして、図４に示されるメニューを表示することもできる。図４は、「ちょっと録画」を行う具体的な条件を設定するための操作メニューの一例であり、図２（ｂ）に示されたメニューと異なる例である。
【００６９】
図４に示される例では、「録画時間」、「戻り録画時間」を設定できるようにされており、また「再生」により記録した内容を再生する条件を設定できるようにされている。図４に示される例では、「録画時間」が１分に設定され、「戻り録画時間」が１０秒に設定されている。また、再生を行う条件として「戻り時間分」が選択されている。
【００７０】
また、図４に示される例では、「ちょっと録画」を行うテレビ放送の対象を「ジャンル」により選択できるようにされている。図４に示される例では、「ジャンル」として、「スポーツ」「ニュース」が選択されている。これにより、「ちょっと録画」を行う対象は、スポーツ番組とニュース番組に限られる。
【００７１】
この「ジャンル」により「ちょっと録画」の対象を設定すると、この設定された対象の番組がテレビモニタ２に出力されている場合にのみ「ちょっと録画」を行う。
【００７２】
例えば、図４に示されるように、「ジャンル」として「スポーツ」、「ニュース」が選択されると、テレビモニタ２に出力されている番組がスポーツ番組、ニュース番組の場合に限って「ちょっと録画」を行うことができる。
【００７３】
そして、「ジャンル」として「スポーツ」、「ニュース」が選択されると、テレビモニタ２に出力されている番組がスポーツ番組、ニュース番組以外の場合には、ちょっと録画モードに設定されている状態でちょっと録画キー３ｃが操作されても、「ちょっと録画」は行われない。
【００７４】
次に、以上に説明した映像受信記録装置１の動作の例について、図５に基づき説明する。図５は、映像受信記録装置１を動作させる手順の一例のフローチャートである。図５は、映像受信記録装置１をちょっと録画モード（短時間簡易記録モード）に設定して動作させる手順のフローチャートである。
【００７５】
映像受信装置１を電源オンし、操作用リモコン３の操作メニュー表示キー３ｂを操作し、テレビモニタ２に操作メニューのメニュー画面を表示させる（Ｓ１）。次に、操作メニューより「５．ちょっと録画」の項目を選択する（Ｓ２）。次に、図２（ｂ）により説明した「録画時間」「戻り録画時間」の設定を行う（Ｓ３）。
【００７６】
次に、図２（ｂ）により説明した「ちょっと録画」の「ＯＮ」又は「ＯＦＦ」を選択し、「ＯＮ」又は「ＯＦＦ」のいずれかに設定する。そして、「ちょっと録画」が「ＯＦＦ」に設定された場合には（Ｓ４、ＮＯ）、通常の映像表示処理を行う（Ｓ５）。
【００７７】
通常の映像表示処理を行う場合には（Ｓ５）、ちょっと録画モードに設定されず、テレビモニタ２にテレビ放送を出力するにあたり、チューナ５が受信した放送信号中の映像信号は直接に映像表示処理部１８に送信される。
【００７８】
一方、「ちょっと録画」が「ＯＮ」に設定された場合には（Ｓ４、ＹＥＳ）、映像受信記録装置１はちょっと録画モードに設定され、チューナ５により受信した映像信号は、映像処理部８を通って外部メモリ６に入力される（Ｓ６）。
【００７９】
そして、受信したテレビ放送の映像を外部メモリ６に記憶させながらテレビモニタ２に出力する（Ｓ７）。そして、映像受信記録装置１がちょっと録画モードにあることを示す「ちょっと録画モード」の表示が、ＯＳＤ表示によりテレビモニタ２に表示される（Ｓ８）。
【００８０】
前記Ｓ８においてちょっと録画モードで動作していることをテレビモニタ２に表示するにあたり、ＯＳＤ表示により行うと、テレビモニタ２に文字等を鮮明に表示することができるので、ユーザはちょっと録画モードにあることの表示を視覚により容易に確認できる。
【００８１】
次に、映像受信記録装置１の他の動作の例について、図６に基づき説明する。図６は、映像受信記録装置１を動作させる手順の一例のフローチャートである。図６は、映像受信記録装置１を「ちょっと録画」を行うように動作させる手順のフローチャートである。
【００８２】
映像受信記録装置１が特定のチャンネルのテレビ放送を受信してテレビモニタ２に出力している状態で、ユーザによりちょっと録画キー３ｃを操作することによる入力が行われる（Ｓ１１）。
【００８３】
次に、映像受信記録装置１がちょっと録画モード（短時間簡易記録モード）に設定されているか否か判断する（Ｓ１２）。ちょっと録画モードに設定されていない場合には（Ｓ１２、ＮＯ）、ちょっと録画キーによる入力を無効にする処理が行われる（Ｓ１３）。
【００８４】
ちょっと録画モードに設定されている場合（Ｓ１２、ＹＥＳ）、ちょっと録画キー３ｃによる入力が有った時点より、設定されている録画時間分のテレビ放送の記録媒体への録画を実行する（Ｓ１４）。録画時間分の録画を終了するまで録画を行う（Ｓ１５、ＮＯ）。
【００８５】
そして、録画時間分の録画を終了すると（Ｓ１５、ＹＥＳ）、外部メモリ６に記憶されている戻り録画時間分の放送内容を抽出する（Ｓ１６）。次に、外部メモリ６より抽出した戻り録画時間分の放送内容の後に、ちょっと録画キー３ｃの操作後の録画時間分記録された放送内容を結合し、一つの録画ファイルとして保存する（Ｓ１７）。
【００８６】
以上の映像受信記録装置１の説明では、「ちょっと録画」により放送内容を記録するための手段として、記録媒体への記録及び再生を行う記録再生部１７を設ける例を挙げた。「ちょっと録画」により放送内容を記録媒体に記録するにあたり、記録手段を備えていればよく再生手段を必ずしも備える必要はない。
【図面の簡単な説明】
【００８７】
【図１】本発明の一実施形態である映像受信記録装置のブロック図である。
【図２】短時間簡易記録モードに設定するための操作メニューの一例である。
【図３】短時間簡易記録を行うためのユーザによる操作のタイミングと短時間簡易記        録を行う時間の範囲との関係を示す図である。
【図４】短時間簡易記録モードに設定するための操作メニューの一例である。
【図５】映像受信記録装置を動作させる手順の一例のフローチャートである。
【図６】映像受信記録装置を動作させる手順の一例のフローチャートである。
【符号の説明】
【００８８】
１    映像受信記録装置
２    テレビモニタ
３    操作用リモコン
３ｂ  操作メニュー表示キー
３ｃ  ちょっと録画キー
５    チューナ
６    外部メモリ
１０    制御用マイコン
１１    制御部
１２    録画合成部
１３    戻り録画処理部
１４    録画処理部
１７    記録再生部
１８    映像表示処理部
【図１】
2005130139.tif 000003
【図２】
2005130139.tif 000004
【図３】
2005130139.tif 000005
【図４】
2005130139.tif 000006
【図５】
2005130139.tif 000007
【図６】
2005130139.tif 000008